(57)【要約】【課題】ハードディスクドライブ３０は、所定の規格に準拠したホスト側制御部を有する正規規格品および規格の一部を変更した改良品にも対応できること。【解決手段】ハードディスクドライブ３０は、ＡＴＡ／ＡＴＡＰＩ−７の規格に準拠したインターフェース４０を有している。インターフェース４０は、２列配列した５０個の端子位置を有する周辺機器側コネクタ４３を有する。周辺機器側コネクタ４３は、端子位置Ｐｏｓ．４１をオープン端子に、端子位置Ｐｏｓ．４２を電源端子とし、端子位置Ｐｏｓ．４４にピンを設けない構成とし、端子位置Ｐｏｓ．４２を介してホスト側制御部からドライブ本体３３に電源電圧を供給している。【選択図】図５
2011187012.tif 000002
【特許請求の範囲】
【請求項１】
２列配列した５０個の端子位置を備え、各々の端子位置のうち、端子位置Ｐｏｓ．４１，４２を電源端子とし、端子位置Ｐｏｓ．４４をリザーブ端子としたＡＴＡ／ＡＴＡＰＩ−７の規格に準拠したインターフェースを介してホスト側制御部に接続されるコンピュータ用周辺機器であって、
上記インターフェースは、上記ホスト側制御部の本体側コネクタに接続される周辺機器側コネクタを有し、
上記周辺機器側コネクタは、上記端子位置Ｐｏｓ．４１をオープン端子に、上記端子位置Ｐｏｓ．４２を電源端子とし、上記端子位置Ｐｏｓ．４４にピンを設けない構成とし、
上記端子位置Ｐｏｓ．４２を介してホスト側制御部から供給される電源電圧で駆動される記憶部を備えたこと、
を特徴とするコンピュータ用周辺機器。
【発明の詳細な説明】
【技術分野】
【０００１】
本発明は、所定の規格に準拠して、ホスト側制御部からデータの送受信の他に電力供給を受けるコンピュータ用周辺機器に関する。
【背景技術】
【０００２】
従来、パーソナルコンピュータに周辺機器を接続するためのインターフェースとして、ノート型のパソコンに汎用されているＡＴＡ（Advanced Technology Attachment）／ＡＴＡＰＩ−７の規格が知られている。このパラレルＡＴＡ／ＡＴＡＰＩ−７の規格に基づくインターフェースは、信号線と電力線を備え、信号線によりデータの送受信を行なうとともに、電力線によりホストであるパーソナルコンピュータから周辺機器へ電力供給が可能である。
【０００３】
しかし、このインターフェースは、端子位置におけるピンの配置、その信号の割当が決められているが、一部のホスト側制御部において、フォームファクタの一部が変更されていたり、電源電圧の変更が行われていたりする改良品があり、ハードディスクドライブなどのコンピュータ用周辺機器を共用（共通化）できないという課題があった。
なお、こうした規格を有する先行技術として、特許文献１が知られている。
【先行技術文献】
【特許文献】
【０００４】
【特許文献１】特開２００４−２９９６３号
【発明の概要】
【発明が解決しようとする課題】
【０００５】
本発明は、上記従来の技術の問題点を解決することを踏まえ、所定の規格に準拠したホスト側制御部に対応するとともに、該規格の一部を変更した改良品にも対応することができるコンピュータ用周辺機器を提供することを目的とする。
【課題を解決するための手段】
【０００６】
本発明は、上述の課題の少なくとも一部を解決するためになされたものであり、以下の形態または適用例として実現することが可能である。
【０００７】
［適用例１］
適用例１は、  ２列配列した５０個の端子位置を備え、各々の端子位置のうち、端子位置Ｐｏｓ．４１，４２を電源端子とし、端子位置Ｐｏｓ．４４をリザーブ端子としたＡＴＡ／ＡＴＡＰＩ−７の規格に準拠したインターフェースを介してホスト側制御部に接続されるコンピュータ用周辺機器であって、
上記インターフェースは、上記ホスト側制御部の本体側コネクタに接続される周辺機器側コネクタを有し、
上記周辺機器側コネクタは、上記端子位置Ｐｏｓ．４１をオープン端子に、上記端子位置Ｐｏｓ．４２を電源端子とし、上記端子位置Ｐｏｓ．４４にピンを設けない構成とし、
上記端子位置Ｐｏｓ．４２を介してホスト側制御部から供給される電源電圧で駆動される記憶部を備えたことを特徴とする。
【０００８】
適用例１に記載のコンピュータ用周辺機器において、周辺機器側コネクタは、端子位置Ｐｏｓ．４１をオープンとし、端子位置Ｐｏｓ．４２を電源端子としているから、ホスト側制御部の端子位置Ｐｏｓ．４１に定格電圧より低電圧が供給されている場合であっても、この電圧で駆動されず、端子位置Ｐｏｓ．４２の端子を通じて電源供給を受けるから、所望の電圧で記憶部を駆動することができる。また、端子位置Ｐｏｓ．４４にピンを設けない構成としているから、改良品のコネクタの端子位置Ｐｏｓ．４４がキーピンになっていても、接続作業の支障にならない。したがって、本実施例にかかるコンピュータ用周辺機器は、ＡＴＡ／ＡＴＡＰＩ−７に準拠する２．５インチのパラレル−インターフェースをもつホスト側制御部を有する正規規格品に対応すると同時に、省電力化を図った一部のホスト側制御部の改良品に対しても対応可能となり、汎用性が高い。
【図面の簡単な説明】
【０００９】
【図１】本発明の一実施例にかかるハードディスクドライブを搭載したコンピュータを説明する説明図である。
【図２】正規規格品にかかるインターフェースのコネクタを説明する説明図である。
【図３】図２のハードディスクドライブの電源系統を説明する説明図である。
【図４】改良品にかかるインターフェースが一部変更された構成を説明する説明図である。
【図５】図４のハードディスクドライブの電源系統を説明する説明図である。
【発明を実施するための形態】
【００１０】
以下説明した本発明の構成及び作用を一層明らかにするために、以下本発明を適用した周辺機器の一つとして、ＡＴＡ／ＡＴＡＰＩ−７の規格で信号の送受信と電力供給を受けるハードディスクドライブについて説明する。
【００１１】
（１）  コンピュータの概略構成
図１は本発明の一実施例にかかるハードディスクドライブ（周辺機器）を搭載したコンピュータを説明する説明図である。コンピュータ１０は、マザーボード上に搭載されたＣＰＵ２０ａ、ＲＯＭ２０ｂ、ＲＡＭ２０ｃ、バッテリ２０ｄ、電源部２０ｅなどで構成した制御部２０（ホスト側制御部）と、文字や図形などを表示するディスプレイなどの表示装置やユーザからの入力を受け付けるキーボードなどの入力装置（図示省略）と、ハードディスクドライブ３０（周辺機器）と、インターフェース４０とを備えているノート型パーソナルコンピュータである。制御部２０とハードディスクドライブ３０とは、ＡＴＡ／ＡＴＡＰＩ−７の規格に準拠したインターフェース４０（50 pin 2.5 inch form factor）で接続されており、つまり制御部２０側の入出力部４１および、コネクタ４２とハードディスクドライブ３０側のコネクタ４３とを介して接続されている。電源部２０ｅは、バッテリ２０ｄの電源を５Ｖ（または３．３Ｖ）に調整して、ＣＰＵ２０ａなどに供給するとともに、インターフェース４０を介してハードディスクドライブ３０に供給している。
【００１２】
（２）  ハードディスクドライブ３０
ハードディスクドライブ３０は、２．５インチのハードディスクを駆動するモータ３１と、データの授受およびモータ３１を制御するディスク制御部３２を有するドライブ本体３３と、インターフェース４０を構成するコネクタ４３とを備えている。このようなハードディスクドライブ３０の構成により、制御部２０からの制御信号および電源の供給により、インターフェース４０の入出力部４１、コネクタ４２，４３を介して、モータ３１を駆動するとともにディスク制御部３２を介して、２．５インチのハードディスクに、データを不揮発的に記録し、また、その記録したデータを読み出している。
【００１３】
（３）  電源部２０ｅおよびインターフェース４０の構成
次に、コンピュータ１０の制御部２０の電源部２０ｅおよびインターフェース４０について、上述したＡＴＡ／ＡＴＡＰＩ−７の規格を完全に満たした正規規格品と、さらに上記規格を一部変更した改良品について説明する。
【００１４】
（３）−１  正規規格品
図２はインターフェース４０のコネクタ４２を説明する説明図、図３はハードディスクドライブの電源系統を説明する説明図である。上述したように、インターフェース４０は、ホスト側の制御部２０側のコネクタ４２と、ハードディスクドライブ３０側のコネクタ４３とを備えている。コネクタ４２，４３には、端子位置が５０箇所あり、そのうち、主要な端子として、端子位置Ｐｏｓ．１がリセット端子、Ｐｏｓ．２がグランド端子、端子位置Ｐｏｓ．３〜１８がデータ端子、端子位置Ｐｏｓ．１９がグランド端子、端子位置Ｐｏｓ．２０がキーピンになっており、また、端子位置Ｐｏｓ．４１，４２が５Ｖ電源を供給する電源端子に、さらに、端子位置Ｐｏｓ．４４がリザーブ端子になっている。ここで、端子位置Ｐｏｓ．２０のキーピンは、誤った周辺機器を接続しないような端子配置、つまり一方のピンが他方の端子に挿入されないようにコネクタ４２側の端子位置が平坦形状になっている。こうしたインターフェース４０に対応するために、制御部２０が入出力部４１およびデータ端子を介してハードディスクドライブ３０とデータを送受するように構成され、また、電源部２０ｅが５Ｖの電源を端子位置Ｐｏｓ．４１，４２にそれぞれ供給するように構成されている。
【００１５】
（３）−２  改良品
図４は改良品にかかるインターフェース４０Ｂが一部変更された構成を説明する説明図、図５はハードディスクドライブの電源系統を説明する説明図である。インターフェース４０Ｂは、正規規格品に対して、電源端子を変更して省電力化を図るとともに、キーピンを加えて、周辺機器の接続間違いを回避する構成を備えている。すなわち、コネクタ４２Ｂは、端子位置Ｐｏｓ．４１が３．３Ｖの電源端子に、端子位置Ｐｏｓ．４２が５Ｖの電源端子になっており、また、端子位置Ｐｏｓ．４４が誤った周辺機器を接続しないようにキーピンになっている。こうしたインターフェース４０Ｂに対応するために、電源部２０ｅは、３．３Ｖを端子位置Ｐｏｓ．４１の端子に、５Ｖを端子位置Ｐｏｓ．４２の端子にそれぞれ供給するように構成されている。
【００１６】
（４）  ハードディスクドライブ３０およびコネクタ４３
ハードディスクドライブ３０は、図３の正規規格品および図５の改良品の両方に対応するために、以下の構成を備えている。ハードディスクドライブ３０側のコネクタ４３は、端子位置Ｐｏｓ．４１の端子が、ドライブ本体３３の内部回路に非接続であるオープンになっており、また、端子位置Ｐｏｓ．４２がドライブ本体３３に直接接続され、さらに、端子位置Ｐｏｓ．４４がピンを削除した構成を備えている。すなわち、制御部２０の電源部２０ｅからの電源は、５Ｖを１つの端子位置Ｐｏｓ．４２だけで供給され、また、コネクタ４３の端子位置Ｐｏｓ．４４にてキーピンに対応するためにピンを削除している。また、端子位置Ｐｏｓ．４２のピンは、モータ３１およびディスク制御部３２に５Ｖ電源を供給している。
【００１７】
（５）  実施例の作用・効果
上記実施例の構成により、以下の作用・効果を奏する。
図３において、ハードディスクドライブ３０を、正規規格品のインターフェース４０を介して制御部２０に接続すると、電源部２０ｅ（図１）の５Ｖ電源がコネクタ４３の端子位置Ｐｏｓ．４２の端子およびピンを介してモータ３１およびディスク制御部３２に供給される。すなわち、ハードディスクドライブ３０には、端子位置Ｐｏｓ．４２のピンだけから電源が供給され、電源部２０ｅの端子位置Ｐｏｓ．４１で５Ｖ電源が供給される状態になっていても、ハードディスクドライブ３０側のコネクタ４３がオープンになっているから、端子位置Ｐｏｓ．４１から電源が供給されない。
【００１８】
一方、図５において、ハードディスクドライブ３０を、改良品のインターフェース４０Ｂを介して制御部２０に接続すると、上述した正規品と同様に、電源部２０ｅの５Ｖ電源がコネクタ４３の端子位置Ｐｏｓ．４２の端子およびピンを介してモータ３１およびディスク制御部３２に供給される。すなわち、ハードディスクドライブ３０には、端子位置Ｐｏｓ．４２のピンだけから電源が供給され、電源部２０ｅの端子位置Ｐｏｓ．４１で３．３Ｖ電源が供給される状態になっていても、ハードディスクドライブ３０側のコネクタ４３がオープンになっているから、端子位置Ｐｏｓ．４１から電源が供給されない。よって、ハードディスクドライブ３０は、所定定格の５Ｖ電源の供給を受け、３．３Ｖ電源の供給で動作が不安定になることもない。このとき、改良品のコネクタ４２の端子位置Ｐｏｓ．４４は、キーピンになっていても、コネクタ４３にピンを設けていないから、接続作業の支障にならない。
【００１９】
したがって、本実施例にかかるハードディスクドライブ３０は、ＡＴＡ／ＡＴＡＰＩ−７に準拠する２．５インチＰＡＴＡ−インターフェースをもつホスト側制御部（正規規格品）に対応すると同時に、省電力化を図った一部のホスト側制御部（改良品）に対しても対応可能となる。
【００２０】
なお、この発明は上記実施例に限られるものではなく、その要旨を逸脱しない範囲において種々の態様において実施することが可能であり、例えば次のような変形も可能である。
上記実施例では、周辺機器として、ハードディスクドライブについて説明したが、ＳＳＤ（Solid State Drive）のような、データの保存に大容量フラッシュメモリを採用したストレージ製品にも適用することができる。この場合に、ＳＳＤの定格電圧が３．３Ｖの場合に、ハードディスクドライブ側で電圧調節することにより対応することができる。
また、上記実施例におけるインターフェース４０は、コネクタ４２，４３を介して直接接続したが、フラットケーブルを用いて接続した構成にも適用することができる。
【符号の説明】
【００２１】
１０…コンピュータ
２０…制御部
２０ａ…ＣＰＵ
２０ｂ…ＲＯＭ
２０ｃ…ＲＡＭ
２０ｄ…バッテリ
２０ｅ…電源部
３０…ハードディスクドライブ
３１…モータ
３２…ディスク制御部
３３…ドライブ本体
４０…インターフェース
４０Ｂ…インターフェース
４１…入出力部
４２，４２Ｂ，４３…コネクタ
【図１】
2011187012.tif 000003
【図２】
2011187012.tif 000004
【図３】
2011187012.tif 000005
【図４】
2011187012.tif 000006
【図５】
2011187012.tif 000007